(57)【要約】【課題】足場の壁繋ぎ具の付け直し（盛替え）の作業を極力回避する。【解決手段】この足場の壁繋ぎ具１は、足場６に取り付けられた足場側連結部６１を建物の外壁の縦目地５１ａとなる箇所に連結するものである。上記足場側連結部６１が連結される建物側連結部１１は、上記縦目地５１ａとなる箇所に固定される固定部１２によって上記建物の外壁の面内の水平方向に移動可能に支持される。上記建物側連結部１１は、棒状部１１ａと基端部１１ｂとを備える。上記基端部１１ｂは、上記固定部１２に形成されている遊嵌部１３に遊嵌されており、上記遊嵌部１３に形成されている長い長孔１３ｃから上記棒状部１１ａが突出している。【選択図】図１
2018003380.tif 000002
【特許請求の範囲】
【請求項１】
足場に取り付けられた足場側連結部を建物の外壁の縦目地が位置する箇所に連結するための足場の壁繋ぎ具であって、上記足場側連結部が連結される建物側連結部が、上記建物の外壁の面内の水平方向に移動可能に設けられることを特徴とする足場の壁繋ぎ具。
【請求項２】
請求項１に記載の足場の壁繋ぎ具において、上記建物の外壁の縦目地が位置する箇所に固定される固定部によって上記建物側連結部が移動可能に支持されることを特徴とする足場の壁繋ぎ具。
【請求項３】
請求項２に記載の足場の壁繋ぎ具において、上記建物側連結部は、基端部およびこの基端部に着脱可能に設けられた棒状部を備えており、上記基端部が上記固定部に形成されている遊嵌部に遊嵌されており、上記遊嵌部に形成されている水平方向に長い長孔から上記棒状部が突出することを特徴とする足場の壁繋ぎ具。
【請求項４】
請求項３に記載の足場の壁繋ぎ具において、上記基端部には上記遊嵌部からの脱落を防止するストッパ部が形成されていることを特徴とする足場の壁繋ぎ具。
【請求項５】
請求項２に記載の足場の壁繋ぎ具において、上記建物側連結部は、基端部およびこの基端部に着脱可能に設けられた棒状部を備えており、上記固定部には上記基端部の側に突出する突出部が形成されており、この突出部が上記基端部に形成されている水平方向に長い長孔に係合されることを特徴とする足場の壁繋ぎ具。
【請求項６】
請求項１に記載の足場の壁繋ぎ具において、上記建物側連結部は、基端部およびこの基端部に着脱可能に設けられた棒状部を備えており、上記基端部が上記建物の外壁の縦目地が位置する箇所に直接に取り付けられることを特徴とする足場の壁繋ぎ具。
【請求項７】
請求項６に記載の足場の壁繋ぎ具において、上記基端部には水平方向に長い長孔が形成されており、上記長孔に通された螺子が上記建物の外壁の縦目地が位置する箇所に直接ねじ込まれることを特徴とする足場の壁繋ぎ具。
【請求項８】
建物の外壁の隣り合う外壁面材間の縦目地が位置する箇所に、請求項１〜請求項７のいずれか１項に記載の足場の壁繋ぎ具における建物側連結部を取り付け、この建物側連結部を足場に取り付けられた足場側連結部に連結して、上記外壁面材を取り付ける作業を行い、上記外壁面材の取り付けに上記建物側連結部が障害となる場合には、当該建物側連結部を、上記建物の外壁の面内の水平方向に移動することを特徴とする建物の外壁施工方法。
【発明の詳細な説明】
【技術分野】
【０００１】
この発明は、足場に取り付けられた足場側連結部を建物の外壁の縦目地が位置する箇所に連結するための足場の壁繋ぎ具、およびこの足場の壁繋ぎ具を用いた建物の外壁施工方法に関する。
【背景技術】
【０００２】
特許文献１には、鉄骨柱の屋外面に側縁部が配置された一対の外壁面材の縦目地内で上記鉄骨柱に取付けられる壁つなぎ取付金物であって、ビス止め金物と壁つなぎジョイント金物とを備え、上記ビス止め金物は、上記縦目地内の屋内側部分に嵌まる縦長ブロック状に形成されて上記鉄骨柱への取付用のビス孔とジョイント金物接合用のねじ孔とを有し、上記壁つなぎジョイント金物は、先端が上記ビス止め金物の上記ねじ孔に螺着される雄ねじに形成された軸部と、この軸部の基端に続く壁つなぎ取付用の雌ねじ部材とを有するものとした足場の壁つなぎ取付金物が開示されている。
【先行技術文献】
【特許文献】
【０００３】
【特許文献１】特開平７−１８８４８号公報
【発明の概要】
【発明が解決しようとする課題】
【０００４】
しかしながら、上記特許文献１に記載の壁つなぎ取付金物では、上記外壁面材の取り付けにおいて上記縦目地の位置に誤差（ずれ）が生じた場合には、上記壁つなぎ取付金物が上記外壁面材の取り付けの障害になるため、この壁つなぎ取付金物を鉄骨柱の別の箇所に付け直す（盛替える）必要が生じ、上記外壁面材の取り付けが迅速に行えないという問題があった。
【０００５】
この発明は、上記の事情に鑑み、足場の壁繋ぎ具の付け直しの作業を極力回避することを目的とする。
【課題を解決するための手段】
【０００６】
この発明の足場の壁繋ぎ具は、上記の課題を解決するために、足場に取り付けられた足場側連結部を建物の外壁の縦目地が位置する箇所に連結するための足場の壁繋ぎ具であって、上記足場側連結部が連結される建物側連結部が、上記建物の外壁の面内の水平方向に移動可能に設けられることを特徴とする。
【０００７】
上記の構成であれば、上記足場側連結部が連結される建物側連結部が、上記建物の外壁の面内の水平方向に移動可能とされるので、外壁面材の取り付け施工において目地の位置にずれが生じた場合でも、上記建物側連結部を水平方向にずらすことにより、この建物側連結部が上記外壁面材の取り付けの障害にならないようにできる。すなわち、この足場の壁繋ぎ具を別の箇所に付け直す（盛替える）作業を極力回避することができる。
【０００８】
上記建物の外壁の縦目地が位置する箇所に固定される固定部によって上記建物側連結部が移動可能に支持されるようにしてもよい。これによれば、上記固定部を例えばタッピングビスによって建物の柱等に固定して、上記建物側連結部を移動可能に支持することができる。
【０００９】
上記建物側連結部は、基端部およびこの基端部に着脱可能に設けられた棒状部を備えており、上記基端部が上記固定部に形成されている遊嵌部に遊嵌されており、上記遊嵌部に形成されている水平方向に長い長孔から上記棒状部が突出していてもよい。これによれば、上記長孔の長さの範囲で上記建物側連結部が移動可能に支持されることになる。
【００１０】
上記基端部には上記遊嵌部からの脱落を防止するストッパ部が形成されていてもよい。これによれば、上記棒状部が上記基端部から外されたときに、上記基端部が上記遊嵌部から脱落するのを防止できる。
【００１１】
或いは、上記建物側連結部は、基端部およびこの基端部に着脱可能に設けられた棒状部を備えており、上記固定部には上記基端部の側に突出する突出部が形成されており、この突出部が上記基端部に形成されている水平方向に長い長孔に係合されていてもよい。これによれば、上記長孔の長さの範囲で上記建物側連結部が移動可能に支持されることになる。
【００１２】
或いは、上記建物側連結部は、基端部およびこの基端部に着脱可能に設けられた棒状部を備えており、上記基端部が上記建物の外壁の縦目地が位置する箇所に直接に取り付けられてもよい。このような固定部の無い構造でも、当該足場の壁繋ぎ具を別の箇所に付け直す作業を極力回避することができる。
【００１３】
上記固定部の無い直接取り付けの構造においては、上記基端部に水平方向に長い長孔が形成されており、上記長孔に通された螺子が上記建物の外壁の縦目地が位置する箇所に直接ねじ込まれるようにしてもよい。
【００１４】
また、この発明の建物の外壁施工方法は、建物の外壁の隣り合う外壁面材間の縦目地が位置する箇所に、請求項１〜請求項７のいずれか１項に記載の足場の壁繋ぎ具における建物側連結部を取り付け、この建物側連結部を足場に取り付けられた足場側連結部に連結して、上記外壁面材を取り付ける作業を行い、上記外壁面材の取り付けに上記建物側連結部が障害となる場合には、当該建物側連結部を、上記建物の外壁の面内の水平方向に移動することを特徴とする。
【００１５】
かかる方法であれば、上記足場の壁繋ぎ具を別の箇所に付け直す作業を極力回避し、外壁面材の貼り付けの施工性を向上することができる。
【発明の効果】
【００１６】
本発明であれば、外壁面材の取り付けにおいて縦目地の位置にずれが生じたような場合でも、足場の壁繋ぎ具の付け直しを極力回避し、外壁面材の貼り付けの施工性を向上することができるという効果を奏する。
【図面の簡単な説明】
【００１７】
【図１】実施形態にかかる足場の壁繋ぎ具の使用状態を示した説明図である。
【図２】図１の一部を拡大して示した説明図である。
【図３】図２で示した足場の壁繋ぎ具の斜視図である。
【図４】図３の足場の壁繋ぎ具の建物側連結部を示した斜視図である。
【図５】他の実施形態の足場の壁繋ぎ具を示した図であって、同図（Ａ）は平面図（一部断面）であり、同図（Ｂ）は、正面図である。
【図６】他の実施形態の足場の壁繋ぎ具を示した図であって、同図（Ａ）は平面図（一部断面）であり、同図（Ｂ）は、正面図である。
【発明を実施するための形態】
【００１８】
以下、この発明の一態様に係る実施形態を添付図面に基づいて説明する。図１に示すように、この実施形態にかかる足場の壁繋ぎ具１は、建物５の近傍に設けられる足場６の足場側連結部６１を、当該建物５の外壁を構成する隣り合う外壁面材（サイディング）５１の間の縦目地５１ａが位置する箇所に連結するものである。そして、この足場の壁繋ぎ具１は、上記足場側連結部６１が連結される建物側連結部１１を有しており、この建物側連結部１１は、上記建物５の外壁の面内の水平方向（図１の紙面垂直方向）に移動可能とされている。移動可能範囲は、例えば、１５ｍｍ程度としている。
【００１９】
上記足場側連結部６１は、図２にも示すように、足場パイプ６２に自在クランプ６３によって留め付けられている。また、上記足場側連結部６１の先端部には、例えば、Ｍ１２のボルト部６１ａが設けられている。
【００２０】
上記縦目地５１ａの屋内側には、上記足場の壁繋ぎ具１を留め付ける対象となる柱５３が位置している。上記足場の壁繋ぎ具１を留め付ける対象は、柱５３に限らず、胴縁等でもよい。
【００２１】
上記足場の壁繋ぎ具１は、上記建物側連結部１１と、この建物側連結部１１を移動可能に支持する固定部１２とを有している。上記固定部１２は、略方形状の板部材からなり、その四隅には、挿通孔１２ａが形成されている（図３参照）。この挿通孔１２ａから例えばタッピングビスを上記柱５３にねじ込むことで、上記固定部１２を上記柱５３に固定することができる。なお、上記固定部１２の固定は、後述する長孔１３ｃの中心が上記外壁面材の割り付け図に基づく縦目地中心に位置するように行う。
【００２２】
図３にも示すように、上記固定部１２には、遊嵌部１３が設けられている。上記遊嵌部１３は、２箇所の立ち上げ部１３ａと、これら立ち上げ部１３ａを繋ぐ繋ぎ部１３ｂとからなる断面略コ字形状を有しており、上記２箇所の立ち上げ部１３ａが当該固定部１２の面部に溶接されている。上記立ち上げ部１３ａによって、上記繋ぎ部１３ｂが上記固定部１２の面部から離間し、また、上記固定部１２の外壁への装着状態においては、上記立ち上げ部１３ａは上下に位置し、左右に開口が形成される。上記左右の開口を結ぶ方向は、上記建物５の外壁の面内の水平方向となる。
【００２３】
また、上記遊嵌部１３の上記繋ぎ部１３ｂには、上記左右の開口を結ぶ方向に長くされた長孔１３ｃが形成されている。
【００２４】
上記建物側連結部１１は、棒状部１１ａと基端部１１ｂとを備えている。上記棒状部１１ａの先端側には長ナットが設けられており、この長ナットに上記足場側連結部６１の上記ボルト部６１ａが螺合される。上記棒状部１１ａの他端側は、上記長孔１３ｃに通されて上記基端部１１ｂに支持されている。上記棒状部１１ａの直径は、例えば、８ｍｍ程度とされ、幅が１０ｍｍ程度とされる上記縦目地５１ａ内に収まるようにしている。
【００２５】
この実施形態では、図４に示すように、略長方形板状を成す上記基端部１１ｂの中心部に貫通孔が形成されており、この貫通孔に螺子孔が連通するようにナット１１ｄが上記基端部１１ｂの裏面に溶接等により固定されている。そして、上記棒状部１１ａの他端側には例えばＭ８の螺子部が形成されており、この螺子部と上記ナットとの螺合によって、上記棒状部１１ａを上記基端部１１ｂに着脱できるようにしている。
【００２６】
また、上記基端部１１ｂの左右端には、上記遊嵌部１３の左右側の開口の幅よりも広い形状を有するストッパ部１１ｃがそれぞれ形成されている。
【００２７】
上記の構成であれば、上記足場側連結部６１が連結される建物側連結部１１が、上記建物５の外壁の面内の水平方向に移動可能とされるので、外壁面材５１の取り付けにおいて縦目地５１ａの位置にずれが生じた場合でも、外壁面材の施工業者等が、上記建物側連結部１１を水平方向に間単にずらすことができ、この建物側連結部１１が上記外壁面材５１の取り付けの障害にならない。すなわち、この足場の壁繋ぎ具１を別の箇所に付け直す（盛替える）作業を極力回避することができる。
【００２８】
また、上記固定部１２によって上記建物側連結部１１が移動可能に支持される構造であると、上記固定部１２を例えばタッピングビスによって建物の柱５３等に固定した上で、上記建物側連結部１１を移動可能に支持することができる。
【００２９】
上記建物側連結部１１の上記基端部１１ｂが上記固定部１２に形成されている遊嵌部１３に遊嵌されており、上記遊嵌部１３に形成されている水平方向に長い長孔１３ｃから上記棒状部１１ａが突出する構造であると、上記長孔１３ｃの長さの範囲で上記建物側連結部１１が移動可能に支持されることになる。
【００３０】
上記基端部１１ｂに上記遊嵌部１３からの脱落を防止するストッパ部１１ｃが形成されていると、上記棒状部１１ａを上記基端部１１ｂから外したときに、上記基端部１１ｂが上記遊嵌部１３から脱落するのを防止できる。
【００３１】
次に、他の実施形態について説明していく。この実施形態の足場の壁繋ぎ具１は、図５（Ａ）および図５（Ｂ）に示すように、建物側連結部１１と、この建物側連結部１１を移動可能に支持する固定部１２とを有する。上記建物側連結部１１は、棒状部１１ａと基端部１１ｂとを備える。上記棒状部１１ａは、例えば。Ｍ８の両切ボルトからなり、先端側には、異径ナット１１ｇにおけるＭ８のナット側に螺合されている。上記異径ナット１１ｇには、Ｍ１２のナット部も形成されており、この、Ｍ１２のナット部に上記ボルト部６１ａが螺合される。また、上記棒状部１１ａであるＭ８の両切ボルトの他端側は、上記基端部１１ｂの表側の中心部に設けられた螺子穴部１１ｆに着脱可能に螺合されている。
【００３２】
また、上記基端部１１ｂの中心部を挟んで左右２箇所には、水平方向に長い長孔１１ｅが形成されている。また、上記長孔１１ｅの中心位置に対応する位置の上記基端部１１ｂの箇所には、有底の螺子穴１２ｃが形成されている。そして、各螺子穴１２ｃには、螺子１２ｄが上記長孔１１ｅを通って螺着されている。上記螺子１２ｄの頭部の直径は、上記長孔１１ｅの幅よりも大きくされている。上記螺子１２ｄと上記長孔１１ｅによって、上記建物側連結部１１は、上記建物５の外壁の面内の水平方向（図５（Ａ）中の矢印参照）に移動可能とされる。なお、上記螺子１２ｄに座金を嵌めるようにすれば、上記頭部をあまり大きくしなくて済む。
【００３３】
このような構成であれば、上記長孔１１ｅの長さの範囲で上記建物側連結部１１が移動可能に支持されることになる。上記建物側連結部１１を移動させるためには、上記螺子１２ｄの頭部の底面と上記固定部１２との間には隙間が在るのが望ましいが、隙間が無い構造としてもよいものであり、この場合においては、上記建物側連結部１１を移動させるときに、上記螺子１２ｄを緩めることとすればよい。
【００３４】
次に、他の実施形態について説明していく。この実施形態の足場の壁繋ぎ具１は、例えば、上記図５に示した構造と共通の構造を有するが、固定部１２は備えておらず、建物側連結部１１の基端部１１ｂが、上記建物の外壁の縦目地５１ａが位置する箇所（柱５３等）に直接に取り付けられる。
【００３５】
例えば、図６（Ａ）および図６（Ｂ）に示すように、上記長孔１１ｅには、上記螺子１２ｄに替えて、タッピングビス（螺子）１１ｈを用い、このタッピングビス１１ｈを上記柱５３に直接ねじ込むことで、上記基端部１１ｂを上記柱５３に固定することができる。このような構造でも、当該足場の壁繋ぎ具１を別の箇所に付け直す作業を極力回避することができる。なお、上記建物側連結部１１を水平方向にずらす操作は、上記タッピングビス１１ｈを緩めて（外さずに）、行うことができる。
【００３６】
そして、この実施形態にかかる建物の外壁施工方法は、建物５の外壁の隣り合う外壁面材間５１の縦目地５１ａが位置する箇所に、上記足場の壁繋ぎ具１における建物側連結部１１を取り付け、この建物側連結部１１を足場６に取り付けられた足場側連結部６１に連結して、上記外壁面材５１を取り付ける作業を行い、上記外壁面材５１の取り付けに上記建物側連結部１１が障害となる場合には、当該建物側連結部１１を、上記建物５の外壁の面内の水平方向に移動する。かかる方法であれば、上記足場の壁繋ぎ具１を別の箇所に付け直す作業を極力回避し、外壁面材５１の貼り付けの施工性を向上することができる。
【００３７】
なお、上記足場の壁繋ぎ具１が不要となる段階では、上記棒状部１１ａを上記基端部１１ｂから離脱させて、上記基端部１１ｂおよび上記固定部１２を外壁側に残置させればよい。また、外壁下地に防水シートを貼る場合においては、この防水シートを貼った後に、足場の壁繋ぎ具１を貼り付けるようにしてもよい。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３９】
１      ：足場の壁繋ぎ具
５      ：建物
６      ：足場
１１    ：建物側連結部
１１ａ  ：棒状部
１１ｂ  ：基端部
１１ｃ  ：ストッパ部
１１ｅ  ：長孔
１１ｈ  ：タッピングビス
１２    ：固定部
１２ａ  ：挿通孔
１２ｃ  ：螺子穴
１２ｄ  ：螺子
１３    ：遊嵌部
１３ｃ  ：長孔
５１    ：外壁面材
５１ａ  ：縦目地
５３    ：柱
６１    ：足場側連結部
６２    ：足場パイプ
【図１】
2018003380.tif 000003
【図２】
2018003380.tif 000004
【図３】
2018003380.tif 000005
【図４】
2018003380.tif 000006
【図５】
2018003380.tif 000007
【図６】
2018003380.tif 000008